(57)【要約】【課題】撮影後の画像の検索、再生、編集が容易にできるデジタルカメラを提供する。【解決手段】デジタルカメラ２には、第１メモリーカード１６及び第２メモリーカード１８が装着されている。撮影された画像データは画像ファイルとしてまず第２メモリーカード１８に記録される。その後ＣＰＵ５０は所定期間内に撮影された複数の撮影画像ファイルを画像グループとして記録媒体１８から読み出し、画像グループ内から１つの画像ファイルを代表画像ファイルとして選択し、残りの画像ファイルを付属画像ファイルとする。その後代表画像ファイルを記録媒体１６に移動記録する。【選択図】        図３
2004221974.tif 000002
【特許請求の範囲】
【請求項１】
画像ファイルを記録可能な複数の記録媒体を備えたデジタルカメラにおいて、予め設定された条件にしたがって撮影された複数の撮影画像ファイルからなる画像グループから特定の画像ファイルを自動選択して代表画像ファイルとし、選択されなかった画像ファイルを付属画像ファイルとして、前記代表画像ファイルと前記付属画像ファイルとをそれぞれ異なる記録媒体に記録する選択記録手段を設けたことを特徴とするデジタルカメラ。
【請求項２】
前記画像グループは、連続撮影機能によって１回の連続撮影で作成された複数の画像ファイルからなることを特徴とする請求項１記載のデジタルカメラ。
【請求項３】
前記画像グループは、計時機能によって計時された所定時間内に撮影された複数の画像ファイルからなることを特徴とする請求項１記載のデジタルカメラ。
【請求項４】
前記画像グループは、電源がＯＮされてからＯＦＦされるまでの間に撮影された複数の画像ファイルからなることを特徴とする請求項１記載のデジタルカメラ。
【請求項５】
前記画像グループは、パワーセーブ機能がＯＦＦされてからＯＮされるまでの間に撮影された複数の画像ファイルからなることを特徴とする請求項１記載のデジタルカメラ。
【請求項６】
前記代表画像ファイルに、代表画像ファイルであることを示す代表画像情報と当該画像グループのすべての付属画像ファイル名をデータとして付加することを特徴とする請求項１ないし５いずれか１つ記載のデジタルカメラ。
【請求項７】
撮影された画像ファイルを再生表示する画像表示手段を備え、前記複数の記録媒体のうち、代表画像ファイルが記録されている記録媒体から記録されているすべての代表画像ファイルを読み出して、前記画像表示手段に再生表示を行う代表画像再生手段を設けたことを特徴とする請求項１ないし６いずれか１つ記載のデジタルカメラ。
【請求項８】
再生されている複数の画像ファイルから任意の画像ファイルを選択する画像選択手段を備え、前記画像表示手段に再生表示された代表画像ファイルの中から任意の代表画像ファイルを選択すると、選択された代表画像ファイルに収められている付属画像ファイル名に適合する付属画像ファイルを別の記録媒体の中から読み出し、選択された代表画像ファイルと読み出された付属画像ファイルを合わせて撮影順に前記画像表示手段に再生表示を行う画像グループ再生手段を設けたことを特徴とする請求項１ないし７いずれか１つ記載のデジタルカメラ。
【請求項９】
画像ファイルを記録可能な複数の記録媒体を備えたデジタルカメラにおいて、ユーザーによってプリント設定された画像ファイルと、プリント設定されなかった画像ファイルとをそれぞれ異なる記録媒体に記録する選択記録手段を設けたことを特徴とするデジタルカメラ。
【発明の詳細な説明】
【０００１】
【発明の属する技術分野】
本発明はデジタルカメラに関し、さらに詳しくは、画像データを複数の記録媒体に記録するデジタルカメラに関するものである。
【０００２】
【従来の技術】
デジタルカメラは、撮影レンズ後方に配置したＣＣＤ等の撮像素子の光電面に結像する光学的な被写体画像を、デジタル信号に変換してスマートメディア（登録商標）やコンパクトフラッシュ（登録商標）などの記録媒体（メディア）に画像データとして記録する。
【０００３】
近年メモリの大容量化が進み、記録される画像数も増加している。このような大容量のメモリに記録されている多数の画像の中から、ユーザーが所望の画像を出力（表示又はプリント）する際には、まず記録されている画像を縮小表示したサムネイル画像を整列させたインデックス画像を画像表示手段で出力する。そして、このインデックス画像をユーザーが目視で検索して所望の画像を選択する方法が一般に行われている。
【０００４】
また、多数のサムネイル画像の中から所望の画像を検索するには非常に手間がかかるため、特許文献１のデジタルカメラでは、記録容量の異なる複数の記録媒体を用い、データサイズの大きい画像データを記録する時には容量の大きい記録媒体に記録し、データサイズの小さい画像データを記録する時には容量の小さい記録媒体に記録するようにしている。このようにデータサイズに応じて記録媒体を自動選択することにより、同程度のサイズまたは解像度の画像をまとめて見ることができるようになる。
【０００５】
【特許文献１】
特開２００１−２４５２４８号公報
【０００６】
【発明が解決しようとする課題】
しかしながら、特許文献１のデジタルカメラでは、同じシーンで撮影された複数の画像が同じ記録媒体に記録されているとは限らず、また同じシーンで撮影された複数の画像がすべて１つの記録媒体に記録されているとしても、ユーザーがどちらの記録媒体に所望のシーンの画像データが記録されているのかを把握しているとは限らない。このような場合、結局複数の記録媒体からすべての画像データを読み出してサムネイルを撮影順に一括表示しなければ所望の画像データを検索することができないため、これまでと同様に検索の手間が大きかった。
【０００７】
本発明は上記問題点を考慮してなされたものであり、複数の記録媒体を利用し、撮影後の画像の検索、再生、編集が容易にできるデジタルカメラを提供することを目的とする。
【０００８】
【課題を解決するための手段】
上記目的を達成するために、本発明のデジタルカメラは、画像ファイルを記録可能な複数の記録媒体を備え、予め設定された条件にしたがって撮影された複数の撮影画像ファイルからなる画像グループから特定の画像ファイルを自動選択して代表画像ファイルとし、選択されなかった画像ファイルを付属画像ファイルとして、前記代表画像ファイルと前記付属画像ファイルとをそれぞれ異なる記録媒体に記録する選択記録手段を設けたことを特徴とする。
【０００９】
また、前記画像グループは、連続撮影機能によって１回の連続撮影で作成された複数の画像ファイルからなることが好ましい。また、前記画像グループは、計時機能によって計時された所定時間内に撮影された複数の画像ファイルからなることも好ましい。また、前記画像グループは、電源がＯＮされてからＯＦＦされるまでの間に撮影された複数の画像ファイルからなることも好ましい。また、前記画像グループは、パワーセーブ機能がＯＦＦされてからＯＮされるまでの間に撮影された複数の画像ファイルからなることも好ましい。
【００１０】
さらに、前記代表画像ファイルに、代表画像ファイルであることを示す代表画像情報と当該画像グループのすべての付属画像ファイル名をデータとして付加することが好ましい。
【００１１】
さらに、撮影された画像ファイルを再生表示する画像表示手段を備え、前記複数の記録媒体のうち、代表画像ファイルが記録されている記録媒体から記録されているすべての代表画像ファイルを読み出して、前記画像表示手段に再生表示を行う代表画像再生手段を設けることが好ましい。
【００１２】
さらに、再生されている複数の画像ファイルから任意の画像ファイルを選択する画像選択手段を備え、前記画像表示手段に再生表示された代表画像ファイルの中から任意の代表画像ファイルを選択すると、選択された代表画像ファイルに収められている付属画像ファイル名に適合する付属画像ファイルを別の記録媒体の中から読み出し、選択された代表画像ファイルと読み出された付属画像ファイルを合わせて撮影順に前記画像表示手段に再生表示を行う画像グループ再生手段を設けることが好ましい。
【００１３】
さらに本発明のデジタルカメラは、画像ファイルを記録可能な複数の記録媒体を備えたデジタルカメラにおいて、ユーザーによってプリント設定された画像ファイルと、プリント設定されなかった画像ファイルとをそれぞれ異なる記録媒体に記録する選択記録手段を設けたことを特徴とする。
【００１４】
【発明の実施の形態】
図１及び図２は、本発明を実施したデジタルカメラの外観を示す斜視図である。デジタルカメラ２の本体３の前面には、  撮影レンズ６とレンズバリア７とが組み込まれたレンズ鏡胴５、対物側ファインダ窓１１、被写体に向けてストロボ光を照射するストロボ発光部４が設けられている。本体３の一方の側面はグリップ８となっており、使用者が本体３を把持しやすくなっている。グリップ８の上面には、  レリーズボタン１０が設けられている。
【００１５】
図２にあるように、本体３の背面には接眼側ファインダ窓１２、電源スイッチ１３、上下左右の選択キーと中央の決定キーからなり、ストロボやズームなどの設定や、再生、編集などの操作を行う操作部１４、ビューファインダとして機能し、また再生や編集時に画像を表示する液晶表示パネル（ＬＣＤ）１５が設けられている。また、本体３のグリップ８と反対側の側面には、第１メモリーカード１６を挿入する第１メディアスロット１７、第２メモリーカード１８を挿入する第２メディアスロット１９が設けられている。
【００１６】
図３はデジタルカメラ２の内部構成を示すブロック図である。デジタルカメラ２の内部は、主として撮像素子としてのＣＣＤ２４、アナログ信号処理部２６、Ａ／Ｄ変換器２８、メモリコントローラ３０、画像用メモリ３２、デジタル信号処理部３４、圧縮伸張回路３６、ＶＲＡＭ（Ｖｉｄｅｏ  ＲＡＭ  ）３８、キャラクタージェネレータ４０、Ｄ／Ａ変換器４２、液晶表示パネル１５、第１メディアスロット１７、第２メディアスロット１９、中央演算処理装置（ＣＰＵ）５０、ＲＯＭ５２、ＲＡＭ５４、内蔵時計５６、電源５８、及び操作部１４等から構成されている。
【００１７】
撮影レンズ６を介してＣＣＤ２４の受光面に結像された被写体像は、各センサで入射光量に応じた量の信号電荷に変換される。このようにして蓄積された信号電荷は、図示しないＣＣＤ駆動回路から加えられるＣＣＤ駆動パルスによって読み出され、信号電荷に応じた電圧信号（アナログ撮像信号）として順次ＣＣＤ２４から出力される。
【００１８】
ＣＣＤ２４には、シャッターゲートを介してシャッタードレインが設けられており、シャッターゲートをシャッターゲートパルスによって駆動することにより、蓄積した信号電荷をシャッタードレインに掃き出すことができる。すなわち、ＣＣＤ２４は、シャッターゲートパルスによって各センサに蓄積される電荷の蓄積時間（シャッタースピード）を制御する、いわゆる電子シャッター機能を有している。
【００１９】
ＣＣＤ２４から読み出された信号は、アナログ信号処理部２６に加えられる。アナログ信号処理部２６は、サンプリングホールド回路やゲイン調整回路を含み、ＣＣＤ２４の撮像信号はアナログ信号処理部２６において相関二重サンプリング（ＣＤＳ）処理並びにＲ，Ｇ，Ｂの各色信号に色分離処理され、各色信号の信号レベルの調整（プリホワイトバランス処理）が行われる。
【００２０】
アナログ信号処理部２６から出力された信号は、Ａ／Ｄ変換器２８においてＲ，Ｇ，Ｂのデジタル信号に変換された後、メモリコントローラ３０を介して画像用メモリ３２に格納される。
【００２１】
画像用メモリ３２に記憶されたデータはメモリコントローラ３０を介してデジタル信号処理部３４へ送られる。デジタル信号処理部３４は輝度・色差信号変換回路やガンマ補正回路等を含む。デジタル信号処理部３４に入力されたＲＧＢデータは、輝度信号（Ｙ信号）及び色差信号（Ｃｒ，Ｃｂ  信号）に変換されるとともに、ガンマ補正等の所定の処理が施された後、再び画像用メモリ３２に書き戻される。
【００２２】
画像用メモリ３２に格納された輝度・色差信号（ＹＣ信号と略記する）は、メモリコントローラ３０によって読み出され、ＶＲＡＭ３８に供給される。ＶＲＡＭ３８に記憶されたデータは、エンコーダによって表示用の所定方式の信号（例えば、ＮＴＳＣ方式のカラー複合映像信号）に変換された後、Ｄ／Ａ変換器４２を介してビデオ出力端子６０より外部出力されるとともに、液晶表示パネル１５に出力される。なお、液晶表示パネル１５の代わりにカラー表示可能な他の表示装置を適用してもよい。
【００２３】
また、Ｄ／Ａ変換器４２から出力される画像データには、必要に応じてキャラクタージェネレータ４０が発生する文字データが付加される。これにより、液晶表示パネル１５において文字情報等が合成された画像を表示させることができる。
【００２４】
ＣＣＤ２４から出力される撮像信号によって画像データが定期的に書き換えられ、その画像データから生成される映像信号が液晶表示パネル１５に供給されることにより、ＣＣＤ２４が捉える画像がリアルタイムに動画像（ライブ画像）として、又はリアルタイムではないが、ほぼ連続した画像として液晶表示パネル１５に表示される。
【００２５】
液晶表示パネル１５は電子ビューファインダーとして利用でき、ユーザーは液晶表示パネル１５の表示画像又は図示せぬ光学ファインダーによって撮影画角を確認することができる。レリーズボタン１０の押下操作など所定の記録指示（撮影開始指示）操作に呼応して、記録用の画像データの取り込みが開始される。
【００２６】
また、液晶表示パネル１５はカメラの状態や撮影モード等に関する情報を示す機能も有しており、例えば、電池の残量表示、メモリーカードの使用状態を示す表示、撮影可能コマ数や再生コマ番号（ファイル名）の表示、ストロボ発光の有無を示す表示、マクロモード表示、記録画質（クオリティー）表示、画素数表示等の情報が表示される。なお、液晶表示パネル１５の他に文字用表示部を設けてカメラの状態や撮影モード等に関する情報を表示させるようにしてもよい。
【００２７】
ユーザーが操作部１４から撮影記録の指示を入力すると、ＣＰＵ５０は必要に応じて圧縮伸張回路３６にコマンドを送り、これにより圧縮伸張回路３６は画像用メモリ３２上の画像データをＪＰＥＧその他の所定の形式に従って圧縮する。圧縮された画像データは第１メディアスロット１７又は第２メディアスロット１９を介して第１メモリーカード１６又は第２メモリーカード１８に記録される。圧縮伸張回路３６は、静止画記録及び動画記録の両方で使用され、静止画はＪＰＥＧファイル、動画はモーションＪＰＥＧファイルとして記録される。なお、音声データは図示しないマイクロフォンから得た信号をＡ／Ｄ変換することによって取得される。
【００２８】
非圧縮の画像データを記録するモード（非圧縮モード）が選択されている場合には、前記圧縮伸張回路３６による圧縮処理を実施せずに、非圧縮のまま画像データが第１メモリーカード１６又は第２メモリーカード１８に記録される。
【００２９】
本発明のデジタルカメラ２は、画像データを保存する記録手段として２つのメディアスロット１７、１９を有している。例えば、第１メディアスロット１７として、カード型ＩＣカードであるスマートメディア（登録商標）を用いた記録容量１６ＭＢの第１メモリーカード１６に対応したメディアスロットが設けられ、第２メディアスロット１９として、コンパクトフラッシュ（登録商標）を用いた記録容量６４ＭＢの第２メモリーカード１８に対応したメディアスロットが設けられているものとする。
【００３０】
なお、記録メディアの形態は上記のものに限定されず、ＰＣカード、マイクロドライブ、マルチメディアカード（ＭＭＣ）、磁気ディスク、光ディスク、光磁気ディスク、メモリスティックなど種々の形態が可能であり、使用される媒体に応じた信号処理手段とインターフェースが適用される。また、使用するメディアの形態、記録容量、及び２つのメディアの組み合わせも上記の態様に限定されない。
【００３１】
本発明のデジタルカメラ２は、２つのメモリーカード１６、１８が装着された状態で撮影が行われる場合に、ほぼ同じシーンで撮影された複数の画像ファイルからなる画像グループから特定の画像ファイルを自動選択して代表画像ファイルとし、選択されなかった画像ファイルを付属画像ファイルとして、代表画像ファイルを第１メモリーカード１６に、付属画像ファイルを第２メモリーカード１８に保存する。メディア選択のプロセスについては後述する。
【００３２】
再生モード時には第１メモリーカード１６又は第２メモリーカード１８から読み出された画像データが圧縮伸張回路３６によって伸張処理され、ＶＲＡＭ３８、Ｄ／Ａ変換器４２を介して液晶表示パネル１５に出力される。
【００３３】
ＣＰＵ５０は、デジタルカメラ２の各回路を統括制御する制御部（制御手段）であり、バス６６を介してメモリコントローラ３０、ＲＯＭ５２、及びＲＡＭ５４等と接続されている。ＲＯＭ５２にはデジタルカメラ２の制御プログラムや制御に必要な各種の設定データ等が格納されている。ＣＰＵ５０は必要に応じてＲＯＭ５２の情報を読み出して、カメラを制御する。ＲＡＭ５４はＣＰＵ５０が各種の演算処理等を行う際の作業用メモリとして利用される。
【００３４】
ＣＰＵ５０は操作部１４から受入する入力信号に基づき、対応する回路の動作を制御するとともに、液晶表示パネル１５における表示の制御も司る。また、ＣＰＵ５０は、レンズ６のズーミング動作や焦点調節（ＡＦ）動作の制御、並びに自動露出調節（ＡＥ）の制御等を行う。すなわち、ＣＰＵ５０はＣＣＤ２４から出力される撮像信号に基づいて、焦点評価演算やＡＥ演算などの各種演算を行い、その演算に基づいて、図示せぬフォーカスレンズ駆動用モータを制御してフォーカスレンズを合焦位置に移動させるとともに、ＣＣＤ２４の電荷の蓄積時間を制御する。
【００３５】
したがって、撮影レンズ６を被写体に向けるだけで、最適な露出調整が行われるとともに、ピント合わせが自動的に行われる。なお、ＡＥ、ＡＦはＣＣＤ２４から取得される撮像信号に基づいて制御する方法の他、周知の測光センサやＡＦ投光／受光センサからなる測距センサ等を用いてもよい。
【００３６】
操作部１４は、上下左右の選択キーと中央の決定キーとからなり、表示切換キースイッチ、メニュー／実行兼用スイッチ、静止画記録モードと動画記録モード、再生モードなどのカメラモードを切り換えるモード選択手段、画質モードの設定手段、画素数の設定手段、シャープネス（輪郭強調の度合い）の設定手段、カラー／白黒／セピア調のカラー設定手段その他の各種の入力手段としての機能を有する。
【００３７】
これらの入力操作は、液晶表示パネル１５の画面上に設定メニューや選択項目を表示して、選択キーで所望の項目を選択し、決定キーで決定することによって行っている。しかしながら操作部１４は上記実施形態に限定されず、各種機能ごとに個別のスイッチをカメラ本体に設けるようにしてもよいし、また操作部１４をリモコン送信機としてカメラ本体と分離する構成としてもよい。
【００３８】
第１メモリーカード１６及び第２メモリーカード１８は、高速でアクセスが可能なＤＲＡＭ（Ｄｙｎａｍｉｃ  ＲＡＭ）から構成されている。デジタルカメラ２で撮影された撮影画像データは、図４に示すようなファイル構造で記録されており、デジタルカメラ２で撮影された撮影画像データ及びその撮影条件データが撮影画像ファイルとして記録される。これら撮影画像ファイル１〜ｎはすべて撮影画像フォルダにまとめて格納される。各撮影画像ファイルは、例えば電子情報技術産業協会（ＪＥＩＤＡ）から発表された規格であるＥｘｉｆフォーマットで記録される。
【００３９】
Ｅｘｉｆフォーマットは、撮影画像データに加えてＥｘｉｆ  Ｔａｇデータが付加されたものである。撮影画像データは、上述したようにＪＰＥＧ形式で記録されるが、撮影画像データの形式としては、このＪＰＥＧ形式の他に、撮影画像データとこのデータのファイル内の格納位置などを示す情報を記録するＴａｇとからなるＴｉｆｆ（Ｔａｇｅｄ  Ｉｍａｇｅ  Ｆｉｌｅ  Ｆｏｒｍａｔ）形式を使用してもよい。さらに、Ｅｘｉｆフォーマットには、インデックス表示等に使用するためのサムネイル画像データが含まれている。
【００４０】
Ｅｘｉｆ  Ｔａｇデータには、ＣＰＵ５０で作成された各種撮影条件データが書き込まれる。このＥｘｉｆ  Ｔａｇデータには、撮影日付、シャッタ速度、絞り値、露光量、レンズＦ値、焦点距離、ストロボ発光の有無などのＥｘｉｆフォーマット規格に沿ったＥｘｉｆ固有情報と、Ｍａｋｅｒ  Ｎｏｔｅ  Ｔａｇデータとが含まれる。Ｍａｋｅｒ  Ｎｏｔｅ  Ｔａｇデータとは、各カメラメーカーが自由にメーカー固有の情報を設定できるエリアであり、このエリアには、例えば撮影に使用した機種データなどが記録される。なお、撮影画像ファイルの形式はＥｘｉｆフォーマットに限るものではない。
【００４１】
代表画像ファイルのＭａｋｅｒ  Ｎｏｔｅ  Ｔａｇには、代表画像であることを示す代表画像情報及び当該画像グループのすべての付属画像ファイル名が書き込まれる。また、図５に示すように付属画像のＭａｋｅｒ  Ｎｏｔｅ  Ｔａｇに、付属画像であることを示す付属画像データ及び付属画像を代表する代表画像のファイル名が書き込まれるようにしてもよい。なお、代表画像ファイル及び付属画像ファイル双方のＭａｋｅｒ  Ｎｏｔｅ  Ｔａｇに情報を付加するようにしてもよいし、どちらか一方のＭａｋｅｒ  Ｎｏｔｅ  Ｔａｇにのみ情報を付加するようにしてもよい。さらに、代表画像であっても付属画像であっても、Ｍａｋｅｒ  Ｎｏｔｅ  Ｔａｇには画質モード、撮影時シャープネス強度、ホワイトバランスモードなどの情報が別に書き込まれる。
【００４２】
本発明のデジタルカメラ２は、画像グループから代表画像ファイルを自動選択し、代表画像ファイルと付属画像ファイルとをそれぞれ異なるメディアに記録する機能を具備している。もちろん、このような自動選択機能とは別に、ユーザが操作部のメディア切換スイッチを操作することにより、記録（撮影）時及び再生時に使用するメディアを自由に選択できるようにも構成されている。
【００４３】
画像グループを規定する方法は様々であるが、例えば、連写機能を用いて連続撮影された複数の画像を１つの画像グループとする方法、内蔵時計を用いて撮影終了後の経過時間を計時することにより、所定の時間内に撮影された複数の画像を１つの画像グループとする方法、電源がＯＮされてからＯＦＦされるまでの期間に撮影された複数の画像を１つの画像グループとする方法、パワーセーブ機能を用い、パワーセーブがＯＦＦされてからＯＮされるまでの期間に撮影された複数の画像を１つの画像グループとする方法などが考えられる。また、画像グループとは別に、プリント設定機能を用い、プリント設定した画像を代表画像とする方法を用いることも考えられる。なお、本実施形態では、プリント設定機能として、ＤＰＯＦ（Ｄｉｇｉｔａｌ  Ｐｒｉｎｔ  Ｏｒｄｅｒ  Ｆｏｒｍａｔ）を用いている。ＤＰＯＦはデジタルカメラで撮影した画像の中からプリントしたいコマや枚数などの指定情報を記録メディアに記録するためのフォーマットであり、これを用いることによりデジタルカメラからのプリントアウトが容易に行えるようになる。
【００４４】
このような画像グループの規定方法の設定は予めカメラ側で設定されてもよいし、ユーザーが自由に設定を変更できるように構成してもよい。また、画像グループの中から代表画像を選択する方法として、画像グループ内の全ての撮影画像ファイルからＥｘｉｆ固有情報にある撮影日付データを検索し、画像グループのうち最初に撮影された画像を代表画像として選択する方法があるが、最初に撮影された画像ではなく、中間や最後に撮影された画像を代表画像として選択するようにしてもよい。
【００４５】
次に、上記に示したそれぞれの画像グループのそれぞれについて、代表画像ファイル及び付属画像ファイルの記録手順をフローチャートに基づいて説明する。
【００４６】
図６は連続撮影された画像から代表画像を選択する手順を示すフローチャートである。ユーザーが連写機能を用いて連続撮影を行うと、先ず、ＣＰＵ５０は撮影されたそれぞれの画像データにＥｘｉｆ情報などを付加して画像ファイルを作成した後、２つのメディアのうち記録容量の大きいメディアである第２メモリーカード１８に順次画像ファイルの記録を行う。また、ＣＰＵ５０は連続撮影枚数や撮影日時、作成した画像ファイル名などからなる画像グループ情報をＲＡＭ５４に記録する。
【００４７】
連続撮影が終了すると、ＣＰＵ５０はＲＡＭ５４から画像グループ情報の読み出しを行う。その後ＣＰＵ５０は読み出された画像グループ情報に基づき、画像グループ内のすべての画像ファイルのうち最初に作成された画像ファイルを代表画像ファイルとして選択し、残りを付属画像ファイルとする。その後、第２メモリーカード１８から代表画像ファイルを読み出し、読み出された画像ファイルのＭａｋｅｒ  Ｎｏｔｅ  Ｔａｇに代表画像情報及びすべての付属画像ファイル名の書き込みを行い、２つのメディアのうち記録容量の小さいメディアである第１メモリーカード１６に移動記録する。
【００４８】
図７は一定時間内に撮影された画像から代表画像を選択する手順を示すフローチャートである。ユーザーが写真撮影を行うと、ＣＰＵ５０は内蔵時計５６の計時をスタートさせる。その後、ＣＰＵ５０は撮影されたそれぞれの画像データにＥｘｉｆ情報などを付加して画像ファイルを作成した後、第２メモリーカード１８に順次画像ファイルの記録を行う。また、撮影日時、作成した画像ファイル名などからなる画像グループ情報をＲＡＭ５４に記録する。
【００４９】
その後も撮影を行う場合、ユーザーによって撮影が行われる毎にＣＰＵ５０は内蔵時計５６の計時をリスタートさせる。その後撮影が行われず、内蔵時計５６の計時が所定時間に達すると、ＣＰＵ５０は内蔵時計５６の計時を終了する。計時終了後ＣＰＵ５０はＲＡＭ５４から画像グループ情報の読み出しを行い、読み出された画像グループ情報に基づいて画像グループ内で最初に作成された画像ファイルを代表画像ファイルとして選択し、残りを付属画像ファイルとする。その後、第２メモリーカード１８から代表画像ファイルを読み出し、読み出された画像ファイルのＭａｋｅｒ  Ｎｏｔｅ  Ｔａｇに代表画像情報及びすべての付属画像ファイル名の書き込みを行い、第１メモリーカード１６に移動記録する。
【００５０】
図８は電源がＯＮされてからＯＦＦされるまでに撮影された画像から代表画像を選択する手順を示すフローチャートである。ユーザーが電源スイッチ１３を操作することによって電源５８がＯＮされ、その後写真撮影が行われると、ＣＰＵ５０は撮影されたそれぞれの画像データにＥｘｉｆ情報などを付加して画像ファイルを作成した後、第２メモリーカード１８に順次画像ファイルの記録を行う。また、撮影日時、作成した画像ファイル名などからなる画像グループ情報をＲＡＭ５４に記録する。その後も撮影が行われる毎に、ＣＰＵ５０は同様の手順を繰り返す。
【００５１】
ユーザーが撮影を終了し、電源がＯＦＦされると、ＣＰＵ５０はＲＡＭ５４から画像グループ情報の読み出しを行い、読み出された画像グループ情報に基づいて画像グループ内で最初に作成された画像ファイルを代表画像ファイルとして選択し、残りを付属画像ファイルとする。その後、第２メモリーカード１８から代表画像ファイルを読み出し、読み出された画像ファイルのＭａｋｅｒ  ＮｏｔｅＴａｇに代表画像情報及びすべての付属画像ファイル名の書き込みを行い、第１メモリーカード１６に移動記録する。
【００５２】
図９はパワーセーブ機能がＯＦＦされてからＯＮされるまでに撮影された画像から代表画像を選択する手順を示すフローチャートである。ユーザーが電源スイッチ１３や操作部１４を操作するとパワーセーブがＯＦＦされ、撮影可能状態となる。その後写真撮影が行われると、ＣＰＵ５０は撮影されたそれぞれの画像データにＥｘｉｆ情報などを付加して画像ファイルを作成した後、第２メモリーカード１８に順次画像ファイルの記録を行う。また、撮影日時、作成した画像ファイル名などからなる画像グループ情報をＲＡＭ５４に記録する。その後も撮影が行われる毎に、ＣＰＵ５０は同様の手順を繰り返す。
【００５３】
ユーザーが撮影を終了し、一定時間操作が行われない場合、パワーセーブ機能がＯＮされる。パワーセーブ機能がＯＮされると、ＣＰＵ５０はＲＡＭ５４から画像グループ情報の読み出しを行い、読み出された画像グループ情報に基づいて画像グループ内で最初に作成された画像ファイルを代表画像ファイルとして選択し、残りを付属画像ファイルとする。その後、第２メモリーカード１８から代表画像ファイルを読み出し、読み出された画像ファイルのＭａｋｅｒ  Ｎｏｔｅ  Ｔａｇに代表画像情報及びすべての付属画像ファイル名の書き込みを行い、第１メモリーカード１６に移動記録する。
【００５４】
図１０はＤＰＯＦ設定された画像を代表画像とする手順を示すフローチャートである。ユーザーが写真撮影が行う毎に、ＣＰＵ５０は撮影された画像にＥｘｉｆ情報などを付加した後、第２メモリーカード１８に画像ファイルを記録する。
【００５５】
撮影が終了した後、ユーザーが撮影画像の再生を行い、撮影画像に対してＤＰＯＦ設定を行うと、ＣＰＵ５０はＤＰＯＦファイルを作成し、撮影画像ファイルとともに第１メモリーカード１６に移動記録する。ＤＰＯＦ設定が行われなかった撮影画像はそのままコンパクトフラッシュ（登録商標）カード１８に記録されている。なお、ＤＰＯＦファイルにはプリントしたい画像ファイル名、プリントタイプ、プリントサイズ、プリント枚数などが記録される。また、ＤＰＯＦ設定は撮影後いつでもユーザーが手動で設定、変更を行うことができる。
【００５６】
図１１は撮影順序の一例を示す説明図である。同図の例では、画像グループのうち最初に撮影された画像を代表画像として第１メモリーカード１６に記録し、残りの画像を付属画像として第２メモリーカード１８に記録している。ファイル名はＣＰＵ５０によって自動付与されている。
【００５７】
図１１の上から降順に撮影記録されており、初めに第１メモリーカード１６にＤＳＣＦ０００１が記録され、その後、第２メモリーカード１８にＤＳＣＦ０００２〜ＤＳＣＦ０００４が順に記録されている。次に第１メモリーカード１６にＤＳＣＦ０００５が記録され、その後、第２メモリーカード１８にＤＳＣＦ０００６〜ＤＳＣＦ０００８が順に記録されている。最後に第１メモリーカード１６にＤＳＣＦ０００９が記録され、その後、第２メモリーカード１８にＤＳＣＦ００１０〜ＤＳＣＦ００１２が順に記録されている。
【００５８】
このように複数のメディアによって記録された画像ファイルを再生する場合には、まず第１メモリーカード１６に記録されている代表画像を液晶表示パネル１５においてマルチ画面表示し、表示された代表画像の中から１つを選択すると、選択された代表画像の付属画像が第２メモリーカード１８から読み出され、画像グループ全体の画像を液晶表示パネル１５でマルチ画面表示するようになっている。
【００５９】
図１２は代表画像再生時の画面表示の一例を示す図である。同図では第１メモリーカード１６に記録されている代表画像を液晶表示パネル１５においてマルチ画面表示させた様子が示されている。
【００６０】
画面の左上から右に、上から下への順に撮影順番に沿って各代表画像ファイルのサムネイル（縮小画像）が配列されて表示される。本実施例では最大９コマのサムネイルを一つの画面で表示できるようになっているが、一つの画面で全てのコマを表示しきれない場合は、ページ分けを行い、表示するページを送ることで、次の９コマ分のサムネイルをマルチ表示させることができる。
【００６１】
図１３は画像グループ再生時の画面表示の一例を示す図である。同図では第２メモリーカード１８に記録されている付属画像も読み出されて代表画像と合わせてマルチ画面表示させた様子が示されている。
【００６２】
画像グループ再生時も代表画像再生時と同じく、画面の左上から右に、上から下への順に撮影順番に沿って画像グループ内の各画像ファイルのサムネイル（縮小画像）が配列されて表示される。また、一つの画面で全てのコマを表示しきれない場合は、ページ分けを行い、表示するページを送ることで、次の９コマ分のサムネイルをマルチ表示させることができる。
【００６３】
このように、画像グループ再生を行う場合、別々のメモリーカード１６、１８に画像ファイルが記録されていても、再生時に撮影順にソートして同時に表示することで、撮影した順序どおりに画像を確認することができる。
【００６４】
また、第１メモリーカード１６から読み出した代表画像のコマ番号表示（又はファイル名表示）を「赤色」の文字で表示し、第２メモリーカード１８から読み出した付属画像のコマ番号表示を「緑色」の文字で表示するなど、メディア毎に色分け表示するようにすれば、どちらのメディアに記録した画像か一目でわかり、便利である。コマ番号の色分け表示に代えて、又はこれに追加して、画像の縁取り（枠線）を色分け表示してもよい。
【００６５】
図１４は、画像再生時における画像ファイル選択手順を示すフローチャートである。ユーザーが操作部１４を操作して画像再生モードを選択すると、まず、ＣＰＵ５０は第１メモリーカード１６から代表画像ファイルを読み出して液晶表示パネル１５にサムネイルをマルチ画面表示する。
【００６６】
付属画像の確認を行わずに代表画像の再生を行う場合は、操作部１４の左キーまたは右キーで代表画像を選択した後、中央の決定キーを操作することにより、選択された代表画像が拡大表示されて再生される。
【００６７】
一方、付属画像の確認を行う場合、ユーザーは操作部１４の左キーまたは右キーを操作し、任意の代表画像ファイルを選択した後、上キーまたは下キーを操作する。上キーまたは下キーの操作が行われると、ＣＰＵ５０は選択された代表画像ファイルのＭａｋｅｒ  Ｎｏｔｅ  Ｔａｇから付属画像のファイル名を読み出す。その後、読み出したファイル名に適合する付属画像ファイルを第２メモリーカード１８から読み出して、選択された代表画像ファイルのサムネイルと合わせて液晶表示パネル１５に画像グループ全体のサムネイルをマルチ画面表示する。
【００６８】
代表画像を含む画像グループ全体の画像ファイルがサムネイル表示されているので、ユーザーは任意の画像ファイルを選択して再生することができる。付属画像を再生する場合も、操作部１４の左キーまたは右キーで代表画像を選択した後、中央の決定キーを操作することにより、選択された付属画像が拡大表示されて再生される。
【００６９】
また、再びすべての代表画像のサムネイルを表示させたいときには、操作部１４の上キーまたは下キーを操作すると、ＣＰＵ５０はすべての代表画像ファイルをスマートメディアカード１６から読み出し、液晶表示パネル１５に再び代表画像のサムネイルをマルチ画面表示する。このとき、ＣＰＵ５０により選択されていた付属画像ファイル名をもとに代表画像ファイルを検索することにより、選択されていた付属画像ファイルを代表する代表画像ファイルが選択されている状態でマルチ画面表示が行われるようにしてもよい。
【００７０】
本実施形態では９画面マルチ表示を例に述べたが、一コマ順送り（逆送り）により一画像ずつ表示するようにしてもよい。
【００７１】
なお、再生時にはユーザーは再生された画像を見て、様々な編集を行うことができる。例えば、テンプレート画像の合成、画像サイズの変更（リサイズ）、白黒化、セピア調変換など所望の画像加工を行うことができる。ＣＰＵ５０はユーザーの指示に基づき、画像データの加工処理を実行する。さらに、画像再生時にＤＰＯＦ設定や代表画像の差し替えを行なえるようにすることもできる。
【００７２】
なお、ＣＰＵ５０はメモリーカード毎に通し番号で画像ファイル名を自動付与するので、メモリーカード１６及び１８の両方もしくは一方が他のメモリーカードに差し替えられた場合、代表画像ファイルが本来代表していない画像ファイルが付属画像と判断される恐れがある。これを防止する方法は詳述していないが、例えば付属画像ファイル名に加えて、付属画像ファイルが記録されているメモリーカードのボリューム名などの管理情報を代表画像ファイルに付加するようにしてもよいし、ファイル名に加えて撮影日時などのＥｘｉｆ情報を検索することにより画像グループを認識させるようにしてもよい。
【００７３】
上記実施形態では、静止画についてのみ説明を行ったが、動画を記録する場合にも本発明を適用することができる。動画記録形式として、各画面の画像を独立したＪＰＥＧ画像として羅列するモーションＪＰＥＧを用いてもよいし、ＭＰＥＧ（Ｍｏｖｉｎｇ  Ｐｉｃｔｕｒｅｓ  Ｅｘｐｅｒｔｓ  Ｇｒｏｕｐ  ）１、ＭＰＥＧ２その他のフォーマット形式を用いるようにしてもよい。
【００７４】
上記実施形態では、記録媒体としてカメラ本体に着脱自在な外部記録媒体（リムーバブルメディア）を用いたが、記録媒体の一つ又は両方をカメラに内蔵される内部メモリ（或いは内蔵ハードディスク）とする構成も可能である。この場合、内部メモリに格納された画像データは、有線又は無線の通信手段（インターフェース）を介して外部に出力されることになる。
【００７５】
上記実施形態では、代表画像ファイルを自動選択する際、まず１つの記録媒体にすべての画像ファイルを記録しておき、その後代表画像ファイルを選択し、別の記録媒体に移動記録するようにしているが、本発明はこの方法に限定されず、例えば代表画像ファイルを選択したあと、付属画像ファイルのほうを別の記録媒体に移動記録するようにしてもよい。
【００７６】
上記実施形態では２つの記録媒体を用い、記録容量の小さい記録媒体に代表画像ファイルを、記録容量の大きい記録媒体に付属画像ファイルをそれぞれ記録しているが、本発明はこれに限定されず、記録容量が等しい２つの記録媒体を用いてもよいし、３つ以上の記録媒体を用いることもできる。
【００７７】
上記実施形態では、代表画像ファイルに代表画像情報と画像グループ内のすべての付属画像ファイル名を付加することによって相互の検索が容易に行えるようにしているが、本発明はこれに限定されず、代表画像ファイル、付属画像ファイル相互の検索が可能であればどのような方法を用いてもよい。
【００７８】
【発明の効果】
以上説明したように、本発明のデジタルカメラによれば、複数の記録媒体を利用し、ほぼ同じシーンで撮影された複数の画像ファイルの中から特定の画像ファイルを自動選択してその他の画像ファイルが記録されている記録媒体とは別の記録媒体に記録することにより、撮影後の画像の検索、再生、編集を容易に行うことができる。
【図面の簡単な説明】
【図１】本発明を実施したデジタルカメラの外観を示す正面側斜視図である。
【図２】本発明を実施したデジタルカメラの外観を示す背面側斜視図である。
【図３】デジタルカメラの内部構成を示すブロック図である。
【図４】代表画像である撮影画像ファイルのデータ構造を示す説明図である。
【図５】付属画像である撮影画像ファイルのデータ構造を示す説明図である。
【図６】連続撮影された画像から代表画像を選択する手順を示すフローチャートである。
【図７】一定時間内に撮影された画像から代表画像を選択する手順を示すフローチャートである。
【図８】電源がＯＮされてからＯＦＦされるまでに撮影された画像から代表画像を選択する手順を示すフローチャートである。
【図９】パワーセーブ機能がＯＦＦされてからＯＮされるまでに撮影された画像から代表画像を選択する手順を示すフローチャートである。
【図１０】ＤＰＯＦ設定された画像を代表画像とする手順を示すフローチャートである。
【図１１】撮影順序の一例を示す説明図である。
【図１２】代表画像再生時の画面表示の一例を示す図である。
【図１３】画像グループ再生時の画面表示の一例を示す図である。
【図１４】画像再生時における画像ファイル選択手順を示すフローチャートである。
【符号の説明】
２  デジタルカメラ
１４  操作部
１５  液晶表示パネル
１６  スマートメディアカード
１８  コンパクトフラッシュ（登録商標）カード
５０  ＣＰＵ
５６  内蔵時計
５８  電源
【図１】
2004221974.tif 000003
【図２】
2004221974.tif 000004
【図３】
2004221974.tif 000005
【図４】
2004221974.tif 000006
【図５】
2004221974.tif 000007
【図６】
2004221974.tif 000008
【図７】
2004221974.tif 000009
【図８】
2004221974.tif 000010
【図９】
2004221974.tif 000011
【図１０】
2004221974.tif 000012
【図１１】
2004221974.tif 000013
【図１２】
2004221974.tif 000014
【図１３】
2004221974.tif 000015
【図１４】
2004221974.tif 000016